(57)【要約】  【課題】被検体の体脂肪の多寡にかかわらずＲＩ投与量とＳＵＶを的確な値にする。  【解決手段】この発明の核医学診断システムは、体重測定装置１５と体体脂肪重量測定部１６とで被検体Ｍの体重と体脂肪の重量が測定できるのに加え、脂肪量調整体重取得部１８で被検体Ｍの体重に体脂肪の重量に応じた調整が施された体脂肪調整体重が取得される構成を備えており、ＰＥＴ装置１による撮影に先立ってＲＩ投与量を決める際には、被検体Ｍの体重に体脂肪の重量に応じた調整が施された体脂肪調整体重にしたがって投与量が定められるので、被検体Ｍの体脂肪の重量を十分勘案してＲＩ投与量を決定できるうえ、ＰＥＴ装置１による撮影実行に従ってＳＵＶが求められる際は、ＳＵＶ算出部１７が被検体Ｍの体重に体脂肪の重量に応じた調整が施された体脂肪調整体重を被検体Ｍの体重ファクタとして用いるので、被検体Ｍの体脂肪の重量を十分勘案してＳＵＶを算出できる。よって被検体Ｍの体脂肪の多寡にかかわらずＲＩ投与量とＳＵＶは的確な値となる。【選択図】    図１
2006300826.tif 000002
【特許請求の範囲】
【請求項１】
天板に載置された被検体に投与されたポジトロン放出型の放射線同位元素（ＲＩ）によって発生するγ線を検出するγ線検出手段と、γ線検出手段から出力されるγ線検出信号に基づき画像再構成を行なってＲＩ分布画像（放射線同位元素の分布画像）を取得するＲＩ分布画像取得手段と、被検体についての放射線測定データ（γ線測定データ）とＲＩ投与量および被検体の体重ファクタ（体重因子）に基づいてＳＵＶ（標準化摂取量）を算出するＳＵＶ算出手段とを備えたＰＥＴ装置と、被検体の体重を測定する体重測定装置と、被検体の体脂肪の重量を測定する体脂肪計測装置とを含み、体重測定装置により測定された被検体の体重に体脂肪計測装置により測定された体脂肪の重量に応じた調整を施した体脂肪調整体重を取得する脂肪量調整体重取得手段を備えていて、ＰＥＴ装置のＳＵＶ算出手段が、脂肪量調整体重取得手段で取得された脂肪量調整体重を被検体の体重ファクタとしてＳＵＶを算出することを特徴とする核医学診断システム。
【請求項２】
請求項１に記載の核医学診断システムにおいて、脂肪量調整体重取得手段が、被検体の体重から被検体の体脂肪の重量を差し引くことにより脂肪量調整体重を取得すると共に、ＳＵＶ算出手段は、ＳＵＶ＝（組織放射線検出データ）÷[（ＲＩ投与量）÷（脂肪量調整体重）]なる数式にしたがってＳＵＶを算出する核医学診断システム。
【請求項３】
請求項２に記載の核医学診断システムにおいて、脂肪量補正体重取得手段は、被検体の体重から被検体の体脂肪の重量を差し引いた後、これに更に補正係数として〔（１００）÷（１００−平均体脂肪率）〕を掛け合わせることにより脂肪量調整体重を取得する核医学診断システム。
【請求項４】
請求項１から３のいずれかに記載の核医学診断システムにおいて、天板に載置された被検体にＸ線を照射するＸ線照射手段と、被検体を透過したＸ線を検出するＸ線検出手段と、Ｘ線照射手段による被検体へのＸ線照射に伴ってＸ線検出手段から出力されるＸ線検出信号に基づき画像再構成を行なってＸ線ＣＴ画像を取得するＸ線ＣＴ画像取得手段と、Ｘ線ＣＴ画像取得手段で取得されたＸ線ＣＴ画像に基づいて被検体の体脂肪の重量を測定する脂肪重量測定手段を体脂肪計測装置として備えているＸ線ＣＴ装置がシステムに含まれている核医学診断システム。
【請求項５】
請求項１から４のいずれかに記載の核医学診断システムにおいて、体脂肪計測装置が、被検体の電気伝導度に基づいて被検体の体脂肪の重量を計測する電気伝導式の装置である核医学診断システム。
【請求項６】
請求項１から５のいずれかに記載の核医学診断システムにおいて、体重測定装置が天板に配置されている核医学診断システム。
【発明の詳細な説明】
【技術分野】
【０００１】
この発明は、天板に載置された被検体に投与された放射線同位元素（ＲＩ）から発生するγ線を検出するγ線検出手段と、γ線検出手段から出力されるγ線検出信号に基づき画像再構成を行なってＲＩ分布画像（ＰＥＴ画像）を取得するＲＩ分布画像取得手段と、被検体についての放射線測定データ（γ線測定データ）とＲＩ投与量および被検体の体重ファクタ（体重因子）に基づいてＳＵＶ（standard uptake value : 標準化摂取量）を算出するＳＵＶ算出手段とを備えたＰＥＴ装置（ポジトロン・エミッション・トモグラフィ＝陽電子放出断面撮影装置）を含む核医学診断システムに係り、特に被検体に対するＲＩ投与量およびＰＥＴ装置で算出されるＳＵＶを的確な値にするための技術に関する。
【背景技術】
【０００２】
近年、被検体に投与された放射線同位元素（ＲＩ）から発生するγ線を検出してＲＩ分布画像を取得するＰＥＴ装置が、病院等の臨床分野の診断に利用されている。ＰＥＴ装置は、被検体（患者）に投与されたポジトロン放出型のＲＩ（薬剤）により体外に放射される５１１ｋｅＶのエネルギーの消滅γ線をγ線検出器（図示省略）で検出すると共に、γ線検出器から出力されるγ線検出信号に基づき画像再構成を行なってＲＩ分布画像を取得する構成とされている。
【０００３】
従来のＰＥＴ装置による撮影を行なおうとする場合、ＲＩ分布画像の撮影前に被検体の体重を測定し、更に被検体の体重にしたがってＲＩ投与量を決定する。そして、決定された量でＲＩが被検体に投与されると共に、ＰＥＴ装置によって撮影が行なわれてＲＩ分布画像が取得される。
一方、ＰＥＴ装置では、投与されたＲＩの集積状況を定量的に把握するために、被検体についての放射線測定データ（γ線測定データ）とＲＩ投与量および被検体の体重にしたがってＳＵＶが算出される。ＳＵＶは下の数式にしたがって算出される。
ＳＵＶ＝（組織放射能測定データ）÷[（ＲＩ投与量）÷（被検体の体重）]
なお、被検体についての組織放射能測定データは、ＲＩの集積状況の定量的に評価する為にＲＩ分布画像の上に設定した所定面積の評価エリアのγ線カウント量（ＰＥＴ値）、すなわちＲＩ集積部分の放射能の濃度であり、ＳＵＶの値が大きいほど集積度が高いことになる。つまり、ＳＵＶはＲＩの集積状況の定量的評価指標である。
【０００４】
一方、脂肪は、人体を構成する主要素のひとつであるが、人体における体脂肪（皮下脂肪および内臓脂肪）の割合は結構ばらつきがある。ただ、体脂肪にはＲＩが殆ど集積しないものとされる。
他方、被検体の体脂肪の測定に関しては、Ｘ線ＣＴ画像に基づいて体脂肪を測定する装置がある。つまり、体脂肪測定機能が付加されているＸ線ＣＴ装置が知られている（例えば、特許文献１を参照。）。
また、被検体の脂肪量の測定に関しては、被検体の電気伝導度に基づいて被検体の脂肪を計測する装置がある。さらに、被検体の体脂肪と体重を同時に測定する装置も知られている（例えば、特許文献２を参照。）。
【０００５】
【特許文献１】特開２００４−２５４９３３号公報（７頁〜８頁、図１，図８）
【特許文献２】特開２００２−８５３６５号公報（１２頁、図１）
【発明の開示】
【発明が解決しようとする課題】
【０００６】
しかしながら、上記従来の核医学診断システムの場合、被検体に対するＲＩ投与量およびＰＥＴ装置で算出されるＳＵＶが往々にして的確ではないという問題がある。従来、ＲＩ投与量の決定およびＳＵＶの算出の際、被検体の体重に関しては、からだ全体の重さのみが考慮されるだけで、ＲＩが殆ど集積しないものとされる脂肪の割合のばらつきが全く反映されていないからである。
例えば、体重１００ｋｇで５０％が体脂肪の人と、体重１００ｋｇで５％が体脂肪の人とでは、ＲＩが集積する体組織が前者は５０ｋｇであるのに対して後者が９５ｋｇと４５ｋｇもの大差があるのに、これが全く考慮されていない。
【０００７】
この発明は、このような事情に鑑みてなされたものであって、被検体に対するＲＩ投与量およびＰＥＴ装置で算出されるＳＵＶを被検体の体脂肪の多寡の如何にかかわらず的確な値とすることができる核医学診断システムを提供することを目的とする。
【課題を解決するための手段】
【０００８】
この発明は、このような目的を達成するために、次のような構成をとる。
すなわち、請求項１に記載の発明に係る核医学診断システムは、天板に載置された被検体に投与されたポジトロン放出型の放射線同位元素（ＲＩ）によって発生するγ線を検出するγ線検出手段と、γ線検出手段から出力されるγ線検出信号に基づき画像再構成を行なってＲＩ分布画像（放射線同位元素の分布画像）を取得するＲＩ分布画像取得手段と、被検体についての放射線測定データ（γ線測定データ）とＲＩ投与量および被検体の体重ファクタ（体重因子）に基づいてＳＵＶ（標準化摂取量）を算出するＳＵＶ算出手段とを備えたＰＥＴ装置と、被検体の体重を測定する体重測定装置と、被検体の体脂肪の重量を測定する体脂肪計測装置とを含み、体重測定装置により測定された被検体の体重に体脂肪計測装置により測定された体脂肪の重量に応じた調整を施した体脂肪調整体重を取得する脂肪量調整体重取得手段を備えていて、ＰＥＴ装置のＳＵＶ算出手段が、脂肪量調整体重取得手段で取得された脂肪量調整体重を被検体の体重ファクタとしてＳＵＶを算出することを特徴とするものである。
【０００９】
［作用・効果］  請求項１の発明の核医学診断システムのＰＥＴ装置によりＲＩ分布画像の撮影を行なう場合、先ず体重測定装置で被検体の体重が測定されると共に体脂肪計測装置で被検体の体脂肪の重量が測定されるのに続いて、脂肪量調整体重取得手段によって、体重測定装置で測定された被検体の体重に体脂肪計測装置で測定された体脂肪の重量に応じた調整が施されることにより体脂肪調整体重が取得される。そして、脂肪量調整体重取得手段により取得された被検体の体脂肪調整体重にしたがってＲＩ投与量（薬剤投与量）が術者などにより決定される。
【００１０】
続いて、決定されたＲＩ投与量で被検体に放射線同位元素（ＲＩ）が投与されると共に、ＰＥＴ装置による撮影が行なわれるのに伴って、γ線検出手段が被検体に投与されたＲＩから発生するγ線を検出すると共にＲＩ分布画像取得手段がγ線検出手段から出力されるγ線検出信号に基づいて画像再構成を行なうことによりＲＩ分布画像を取得するのに加え、ＳＵＶ算出手段が、被検体についての放射線測定データ（γ線測定データ）とＲＩ投与量、および、脂肪量調整体重取得手段により取得された被検体の体重ファクタとしての被検体の体脂肪調整体重に基づいてＳＵＶ（標準化摂取量）を算出する。
【００１１】
即ち、請求項１の発明の核医学診断システムの場合、体重測定装置と体脂肪計測装置により被検体の体重と体脂肪の重量がそれぞれ測定できるのに加え、脂肪量調整体重取得手段によって被検体の体重に体脂肪の重量に応じた調整が施された体脂肪調整体重が取得される構成を備えていて、ＰＥＴ装置による撮影に先立ってＲＩ投与量を決める際には、被検体の体重に体脂肪の重量に応じた調整が施された体脂肪調整体重にしたがって投与量を定めることにより、ＲＩ投与量を被検体の体脂肪の重量を十分に勘案したかたちで決定できる。
さらに、ＰＥＴ装置による撮影実行にしたがってＳＵＶが求められる際には、ＳＵＶ算出手段が被検体の体重に体脂肪の重量に応じた調整が施された体脂肪調整体重を被検体の体重ファクタとして用いることにより、ＳＵＶを被検体の体脂肪の重量を十分に勘案したかたちで算出できる。
したがって、請求項１の発明の核医学診断システムによると、被検体に対するＲＩ投与量およびＰＥＴ装置で算出されるＳＵＶを被検体の体脂肪の多寡の如何にかかわらず的確な値とすることができる。
【００１２】
また、請求項２に記載の発明は、請求項１に記載の核医学診断システムにおいて、脂肪量調整体重取得手段が、被検体の体重から被検体の体脂肪の重量を差し引くことにより脂肪量調整体重を取得すると共に、ＳＵＶ算出手段は、ＳＵＶ＝（組織放射線検出データ）÷[（ＲＩ投与量）÷（脂肪量調整体重）]なる数式にしたがってＳＵＶを算出するものである。
【００１３】
［作用・効果］請求項２の発明の核医学診断システムの場合、ＲＩ投与量の決定やＳＵＶの算出の基礎となる脂肪量調整体重が、被検体の体重から被検体の体脂肪の重量を差し引く処理により速やかに算出されるのに加え、（組織放射線検出データ）÷[（ＲＩ投与量）÷（脂肪量調整体重）]なる数式にしたがって演算が行なわれてＳＵＶが速やかに取得される。
【００１４】
また、請求項３に記載の発明は、請求項２に記載の核医学診断システムにおいて、脂肪量補正体重取得手段は、被検体の体重から被検体の体脂肪の重量を差し引いた後、これに更に補正係数として〔（１００）÷（１００−平均体脂肪率）〕を掛け合わせることにより脂肪量調整体重を取得するものである。
【００１５】
［作用・効果］請求項３の発明の核医学診断システムの場合、〔（被検体の体重）−（被検体の体脂肪の重量）〕×〔（１００）÷（１００−平均体脂肪率）〕なる数式にしたがって演算が行なわれることにより、平均体脂肪率に応じた重量を加味された脂肪量調整体重が速やかに取得される。
【００１６】
また、請求項４に記載の発明は、請求項１から３のいずれかに記載の核医学診断システムにおいて、天板に載置された被検体にＸ線を照射するＸ線照射手段と、被検体を透過したＸ線を検出するＸ線検出手段と、Ｘ線照射手段による被検体へのＸ線照射に伴ってＸ線検出手段から出力されるＸ線検出信号に基づき画像再構成を行なってＸ線ＣＴ画像を取得するＸ線ＣＴ画像取得手段と、Ｘ線ＣＴ画像取得手段で取得されたＸ線ＣＴ画像に基づいて被検体の体脂肪の重量を測定する脂肪重量測定手段を体脂肪計測装置として備えているＸ線ＣＴ装置がシステムに含まれているものである。
【００１７】
［作用・効果］請求項４の発明の核医学診断システムの場合、Ｘ線ＣＴ装置がシステムに含まれているので、被検体のＸ線ＣＴ画像が取得できるのに加え、Ｘ線ＣＴ装置の脂肪重量測定手段がＸ線ＣＴ画像に基づいて被検体の体脂肪の重量を測定する体脂肪計測装置として機能する。
【００１８】
また、請求項５に記載の発明は、請求項１から４のいずれかに記載の核医学診断システムにおいて、体脂肪計測装置が、被検体の電気伝導度に基づいて被検体の体脂肪の重量を計測する電気伝導式の装置であるものである。
【００１９】
［作用・効果］請求項５の発明の核医学診断システムの場合、電気伝導式の体脂肪計測装置を備えているので、被検体の電気伝導度を測定することにより被検体の体脂肪の重量を速やかに計測することができる。
【００２０】
また、請求項６に記載の発明は、請求項１から５のいずれかに記載の核医学診断システムにおいて、体重測定装置が天板に配置されているものである。
【００２１】
［作用・効果］請求項６の発明の核医学診断システムの場合、体重測定装置が天板に配置されているので、被検体を天板の上に載置したままで被検体の体重を測定できる。
【発明の効果】
【００２２】
この発明の核医学診断システムの場合、体重測定装置と体脂肪計測装置により被検体の体重と体脂肪の重量がそれぞれ測定できるのに加え、脂肪量調整体重取得手段により被検体の体重に体脂肪の重量に応じた調整が施された体脂肪調整体重が取得される構成を備えていて、ＰＥＴ装置による撮影に先立ってＲＩ投与量を決める際には、被検体の体重に体脂肪の重量に応じた調整が施された体脂肪調整体重にしたがって投与量を定めることにより、ＲＩ投与量を被検体の体脂肪の重量を十分に勘案したかたちで決定できる。
さらに、ＰＥＴ装置による撮影実行にしたがってＳＵＶが求められる際には、ＳＵＶ算出手段が被検体の体重に体脂肪の重量に応じた調整が施された体脂肪調整体重を被検体の体重ファクタとして用いることにより、ＳＵＶを被検体の体脂肪の重量を十分に勘案したかたちで算出することができる。
よって、請求項１の発明の核医学診断システムによれば、被検体に対するＲＩ投与量およびＰＥＴ装置で算出されるＳＵＶを体脂肪の多寡の如何にかかわらず的確な値とすることができる。
【実施例】
【００２３】
この発明の核医学診断システムの実施例について図面を参照しながら詳しく説明する。図１は実施例に係る核医学診断システムであるＰＥＴ・Ｘ線ＣＴ複合診断システムの全体構成を示すブロック図である。
実施例のＰＥＴ・Ｘ線ＣＴ複合診断システムは、ＲＩ分布画像の撮影を行なうＰＥＴ装置１に、Ｘ線ＣＴ画像の撮影を行なうＸ線ＣＴ装置２が被検体Ｍを載置する天板３を共用する状態で合体された構成となっている。
【００２４】
ＰＥＴ装置１は、撮影対象の被検体Ｍを載置する天板３に加えて、被検体Ｍを載置した天板３が出入りすると共に被検体Ｍに投与されたポジトロン型の放射線同位元素（ＲＩ）から発生するγ線を検出するγ線検出器４が設置されているＰＥＴ用ガントリＧ１と、ＲＩ分布画像の撮影に必要な各種の制御やγ線検出器４から出力されるγ線検出信号の処理を行なうＰＥＴ用制御処理部５を備えている他、ＲＩ分布画像や操作メニューなどを表示する表示モニタ６をＸ線ＣＴ装置２と共用する状態で備えている。
ＰＥＴ用制御処理部５には、γ線検出器４から出力されるγ線検出信号に基づき画像再構成を行なってＲＩ分布画像（ＰＥＴ画像）を取得するＲＩ分布画像取得部７の他に、被検体ＭにおけるＲＩ分布画像を取得するＲＩ分布像撮影位置を設定するＲＩ分布像撮影位置設定部（図示省略）なども配設されている。
【００２５】
被検体ＭにおけるＲＩ分布像撮影位置を設定する場合、例えば、表示モニタ６にＲＩ分布像撮影位置の設定メニューを映し出しておいて、操作部８による入力操作でＲＩ分布像撮影位置を画面上で指定する。ＲＩ分布像撮影位置設定部は操作部８で指定されたＲＩ分布像撮影位置を天板３の位置で設定する。そして、ＰＥＴ装置１によるＲＩ分布画像の撮影の際は、天板３が天板移動機構９によってＲＩ分布像撮影位置設定部で設定されたＲＩ分布像撮影位置に相応する位置に移動させられ、γ線検出器４によるγ線の検出が行なわれると共に、ＲＩ分布画像取得部７によりＲＩ分布像撮影位置のＲＩ分布画像が取得される。
【００２６】
Ｘ線ＣＴ装置２は、撮影対象の被検体Ｍを載置する天板３に加えて、被検体ＭにＸ線を照射するＸ線管１０と、被検体Ｍを載置した天板３が出入りすると共に被検体Ｍを透過したＸ線を検出するＸ線検出器１１が設置されているＸ線ＣＴ用ガントリＧ２と、Ｘ線ＣＴ画像の撮影に必要な各種の制御やＸ線検出器１１から出力されるＸ線検出信号の処理を行なうＸ線ＣＴ用制御処理部１２を備えている他、Ｘ線ＣＴ画像や操作メニューなどを表示する表示モニタ６をＰＥＴ装置１と共用する状態で備えている。
【００２７】
Ｘ線ＣＴ用制御処理部１２には、Ｘ線管１１によるＸ線の照射を制御するＸ線照射制御部１３と、Ｘ線照射制御部１３の制御にしたがってＸ線管１０がＸ線を照射するのに伴ってＸ線検出器１１から出力されるＸ線検出信号に基づき画像再構成を行なってＸ線ＣＴ画像を取得するＸ線ＣＴ画像取得部１４の他、被検体ＭにおけるＸ線ＣＴ画像を取得するＸ線ＣＴ像撮影位置を設定するＸ線ＣＴ像撮影位置設定部（図示省略）なども配設されている。
【００２８】
被検体ＭにおけるＸ線ＣＴ像撮影位置を設定する場合、例えば、表示モニタ６にＸ線ＣＴ像撮影位置の設定メニューを映し出しておいて、操作部８による入力操作でＸ線ＣＴ像撮影位置を画面上で指定する。そうすると、操作部８で指定したＸ線ＣＴ像撮影位置がＸ線ＣＴ像撮影位置設定部により天板３の位置で設定される。
そして、Ｘ線ＣＴ装置２によるＸ線ＣＴ画像の撮影を行なう際は、天板３が天板移動機構９によってＸ線ＣＴ像撮影位置設定部で設定されたＸ線ＣＴ像撮影位置に相応する位置に移動させられ、Ｘ線管１０によるＸ線の照射とＸ線検出器１１によるＸ線の検出が行なわれると共に、Ｘ線ＣＴ画像取得部１４によりＸ線ＣＴ画像が取得される。
【００２９】
なお、ＰＥＴ装置１とＸ線ＣＴ装置２は１台の天板３を共用しているが、ＰＥＴ用ガントリＧ１の中心とＸ線ＣＴ用ガントリＧ２の中心が天板３の長手方向（被検体の体軸方向）に関しては距離Ｌを隔てて配置されているので、撮影位置の設定の際に天板３の長手方向（被検体の体軸方向）に関しては、ＰＥＴ用ガントリＧ１とＸ線ＣＴ用ガントリＧ２に応じてガントリ間の距離Ｌが考慮される構成とされている。換言すれば、Ｘ線ＣＴ像撮影位置設定部で設定される撮影位置とＲＩ分布像撮影位置設定部で設定される撮影位置とは、ＰＥＴ用ガントリＧ１とＸ線ＣＴ用ガントリＧ２の間の距離Ｌを媒介にして正確な対応が付けられる構成とされている。
【００３０】
一方、ＰＥＴ装置１とＸ線ＣＴ装置２とで共用される天板３には、被検体Ｍの体重を測定して電気信号のかたちで出力する体重測定装置１５が配置されている。この体重測定装置１５としては、例えばバネ秤式体重計や歪みゲージ式体重計が具体的なものとして挙げられる。天板３に設置された体重測定装置１５により被検体Ｍを天板３の上に載置したままで被検体Ｍの体重（全体重）Ｗｔを測定することができる。
【００３１】
他方、Ｘ線ＣＴ装置２はＸ線ＣＴ画像取得部１４で取得されたＸ線ＣＴ画像に基づいて被検体Ｍの体脂肪（皮下脂肪および内臓脂肪）の重量Ｗｆを測定する体脂肪重量測定部１６を備えている。
Ｘ線ＣＴ装置２で体脂肪重量測定部１６による被検体Ｍの体脂肪重量の測定が行なわれる場合、先ず、図２に示すように、被検体Ｍの体軸方向に沿って所定のスライス厚みでＸ線ＣＴ画像Ｐａ１〜ＰａＮを順番に取得する。
【００３２】
次に、各Ｘ線ＣＴ画像Ｐａ１〜ＰａＮについて順番に体脂肪画素を抽出する画像処理を行なって、図３に示すように、脂肪抽出ＣＴ画像Ｐｂ１〜ＰｂＮを順番に取得する。体脂肪画素を抽出する画像処理方法としては、体脂肪画素のＣＴ値（Hounsfiild値）が約−１００であるので、−１００のＣＴ値を中心とする一定範囲のＣＴ値のウインド（例えば−１００±１０のＣＴ値のウインド）を手動ないし自動で設定しておき、ＣＴ値がウインドの範囲にある画素を選出することにより体脂肪画素を抽出する方法が挙げられる。
さらに、各脂肪抽出ＣＴ画像Ｐｂ１〜ＰｂＮから各画像に対応する被検体Ｍの断面における体脂肪面積を順番に求める。例えば、各脂肪抽出ＣＴ画像Ｐｂ１〜ＰｂＮにおける体脂肪画素を集計して画像倍率に見合う補正係数を掛け合わせることにより、各画像Ｐｂ１〜ＰｂＮに対応する被検体Ｍの断面における体脂肪面積が順番に算定される。
続いて、各脂肪抽出ＣＴ画像Ｐｂ１〜ＰｂＮに対応する被検体Ｍの断面における体脂肪面積にスライス厚みを掛け合わせてから合算することで被検体Ｍの体脂肪の全体積を算出したあと、最後に脂肪の比重（一般には０．９ｇ／ｃｃ）を掛け合わせることにより、被検体Ｍの体脂肪の重量Ｗｆが測定される。
【００３３】
また、実施例のＰＥＴ装置１の場合、被検体Ｍに投与されたＲＩの集積状況を定量的に把握するために、放射線測定データ（γ線測定データ）とＲＩ投与量および（以下に詳述する）被検体の体重ファクタに基づいてＳＵＶ（標準化摂取量）を算出するＳＵＶ算出部１７を備えている。このＳＵＶ算出部１７は下の数式にしたがってＳＵＶを算出すると共に、算出したＳＵＶは表示モニタ６の画面に表示される構成とされている。
ＳＵＶ＝（組織放射能測定データ）÷[（ＲＩ投与量）÷（被検体の体重ファクタ）]
但し、組織放射能測定データの単位はＢｑ／ｇ，ＲＩ投与量の単位はＢｑ，被検体の体重ファクタの単位はｇとする。
【００３４】
組織放射能測定データは、ＲＩの集積状況を定量的に評価する為にＲＩ分布画像の上に設定した所定面積の評価エリアのγ線カウント量（ＰＥＴ値）、すなわちＲＩ集積部分の放射能の濃度である。評価エリアのγ線カウント量（ＰＥＴ値）から、非集積領域に設定した等面積のベースエリアのγ線カウント量（ＰＥＴ値）をベース分（ノイズ分）として差し引いた（より的確な）組織放射能測定データとして用いるようにしてもよい。
ＳＵＶの値が大きいほどＲＩの集積度が高いことになる。つまり、ＳＵＶはＲＩの集積状況の定量的な評価指標である。また、ＲＩ分布画像の上に評価エリアの位置は、操作部８により指定できる構成となっている。
【００３５】
さらに、実施例の複合診断システムは、体重測定装置１５で測定された被検体Ｍの体重Ｗｔに体脂肪重量測定部１６で測定された体脂肪の重量Ｗｆに応じた調整を施した体脂肪調整体重Ｗｍを取得する脂肪量調整体重取得部１８を備えている。脂肪量調整体重取得部１８の場合、被検体の体重Ｗｔから被検体Ｍの体脂肪の重量Ｗｆを差し引くことにより脂肪量調整体重Ｗｍを取得する構成とされている。即ち、下記の数式にしたがって演算が行なわれて脂肪量調整体重Ｗｍが取得されるのである。
脂肪量調整体重Ｗｍ＝（被検体Ｍの体重Ｗｔ）−（被検体Ｍの体脂肪の重量Ｗｆ）
そして、実施例の複合診断システムの場合、この体脂肪抜きの脂肪量調整体重ＷｍにしたがってＲＩ投与量が決定される。
【００３６】
加えて、実施例の複合診断システムは、ＳＵＶ算出部１７が、脂肪量調整体重取得部１８で取得された体脂肪抜きの脂肪量調整体重Ｗｍを被検体Ｍの体重ファクタとしてＳＵＶを算出する構成とされている。即ち、ＰＥＴ装置２のＳＵＶ算出部１７は、下の数式にしたがってＳＵＶを算出するのである。
ＳＵＶ＝（組織放射能測定データ）÷[（ＲＩ投与量）÷（脂肪量調整体重Ｗｍ）]
【００３７】
但し、上記の脂肪量調整体重Ｗｍの場合、体脂肪が０（ゼロ）ということになる。ただ、実際は体脂肪ゼロという被検体（人間）Ｍは存在しない。年齢・性別・人種等によって異なるが、２０％程の平均体脂肪率（％）があるとされる。例えば、日本人成人男性だと約１８％の平均体脂肪率がある。したがって、体脂肪ゼロとするより、平均体脂肪率に見合った重量を加味した方が実情に即することもある。
具体的には、被検体Ｍの体重Ｗｔから被検体の体脂肪の重量Ｗｆを差し引いた後、更にこれに補正係数として〔（１００）÷（１００−平均体脂肪率）〕を掛け合わせることにより脂肪量調整体重Ｗｍ’を取得してもよい。即ち、体脂肪重量測定部１６は、下記の数式にしたがって脂肪量調整体重Ｗｍ’を取得する構成であってもよい。
脂肪量調整体重Ｗｍ’＝〔（体重Ｗｔ）−（体脂肪の重量Ｗｆ）〕×補正係数
〔但し、補正係数＝（１００）÷（１００−平均体脂肪率）〕
この平均体脂肪率に見合った重量を加味した場合、ＰＥＴ装置２のＳＵＶ算出部１７は、下の数式にしたがってＳＵＶを算出することになる。
ＳＵＶ＝（組織放射能測定データ）÷[（ＲＩ投与量）÷（脂肪量調整体重Ｗｍ’）]
【００３８】
また、脂肪量調整体重取得部１８の場合、脂肪量調整体重Ｗｍあるいは脂肪量調整体重Ｗｍ’のどちらでも操作部８の指定操作で選択して取得することができる構成とされているが、脂肪量調整体重取得部１８が脂肪量調整体重Ｗｍと脂肪量調整体重Ｗｍ’の一方だけを算出する構成であってもよい。
【００３９】
なお、主制御部１９は、コンピュータとその作動プログラムを中心に構成されていて、操作部８により入力される指令やデータ或いは撮影プロセスの進行に応じて、各部に適切な命令やデータを送出し、装置を正常に稼働させる役割を担っている。
【００４０】
続いて、以上に述べた構成を有する実施例のＰＥＴ・Ｘ線ＣＴ複合診断システムによるＲＩ分布画像の撮影プロセスを図面を参照しながら説明する。図４は、実施例のシステムのＰＥＴ装置１によりＲＩ分布画像の撮影を行なう時のプロセスを示すフローチャートである。
なお、脂肪量調整体重取得部１８は脂肪量調整体重Ｗｍ’を算出するように既に操作部８により操作で選択設定されていると共に、撮影位置の設定などは適時に通常通りに行なわれるものであるので説明は省く。以下、撮影対象の被検体Ｍが天板３に載せられた段階から説明する。
【００４１】
〔ステップＳ１〕天板３に設置されている体重測定装置１５が作動して撮影対象の被検体Ｍの体重Ｗｔを測定する。
【００４２】
〔ステップＳ２〕Ｘ線ＣＴ装置２が作動して、被検体Ｍの体軸方向に沿って所定のスライス厚みで体脂肪重量測定用のＸ線ＣＴ画像Ｐａ１〜ＰａＮを順番に取得する。
【００４３】
〔ステップＳ３〕体脂肪重量測定部１６が、Ｘ線ＣＴ画像Ｐａ１〜ＰａＮに基づいて、被検体Ｍの体脂肪の重量Ｗｆを算出する。
【００４４】
〔ステップＳ４〕被検体Ｍの体重Ｗｔと体脂肪の重量Ｗｆおよび平均体脂肪率にしたがって脂肪量調整体重取得部１８により脂肪量調整体重Ｗｍ’が算出されて表示モニタ６の画面に表示される。
【００４５】
〔ステップＳ５〕術者は表示モニタ６の画面に表示された脂肪量調整体重Ｗｍ’にしたがってＲＩ投与量を決定して天板３の上の被検体Ｍに投与する。
【００４６】
〔ステップＳ６〕ＰＥＴ装置１が作動してＲＩ分布画像取得部７によりＲＩ分布画像の取得が行なわれる。
【００４７】
〔ステップＳ７〕組織放射能測定データとしてのＲＩ分布画像におけるＰＥＴ値とＲＩ投与量および脂肪量調整体重Ｗｍ’にしたがってＳＵＶ算出部１７によりＳＵＶが算出されて表示モニタ６の画面に表示される。
【００４８】
〔ステップＳ８〕必要枚数のＲＩ分布画像が取得されたか否かがチェックされる。必要枚数のＲＩ分布画像が取得されていなければ、ステップＳ６に戻り撮影が続けられる。必要枚数のＲＩ分布画像が既に取得されたのであれば、実施例のシステムによる撮影は終了となる。
【００４９】
以上に述べたように、実施例のシステムの場合、天板３に設置された体重測定装置１５とＸ線ＣＴ装置２の体体脂肪重量測定部１６とにより被検体Ｍの体重と体脂肪の重量がそれぞれ測定できるのに加え、脂肪量調整体重取得部１８により被検体Ｍの体重に体脂肪の重量に応じた調整が施された体脂肪調整体重Ｗｍや体脂肪調整体重Ｗｍ’が取得される構成を備えていて、ＰＥＴ装置１による撮影に先立ってＲＩ投与量を決める際には、被検体Ｍの体重に体脂肪の重量に応じた調整が施された体脂肪調整体重Ｗｍや体脂肪調整体重Ｗｍ’にしたがって投与量を定めることにより、被検体Ｍの体脂肪の重量を十分に勘案したかたちでＲＩ投与量を決定できる。
さらに、ＰＥＴ装置１による撮影実行にしたがってＳＵＶが求められる際には、ＳＵＶ算出部１７が被検体Ｍの体重に体脂肪の重量に応じた調整が施された体脂肪調整体重Ｗｍや体脂肪調整体重Ｗｍ’を被検体Ｍの体重ファクタとして用いることにより、被検体Ｍの体脂肪の重量を十分に勘案したかたちでＳＵＶを算出できる。
よって、実施例のＰＥＴ・Ｘ線ＣＴ複合診断システムによれば、被検体Ｍに対するＲＩ投与量およびＰＥＴ装置１で算出されるＳＵＶを体脂肪の多寡の如何にかかわらず的確な値とすることができる。
【００５０】
この発明は、上記の実施例に限られるものではなく、以下のように変形実施することも可能である。
（１）実施例のシステムの場合、体重測定装置１５が天板３に配置されていたが、体重測定装置１５は天板３に配置されている必要は必ずしもなく、検査室の床に据え置かれる配置であってもよい。ただ体重測定装置１５が天板３に配置されない場合は、被検体Ｍの体重を測定してから被検体Ｍを天板３に載置することになる。
【００５１】
（２）実施例のシステムの場合、Ｘ線ＣＴ画像に基づいて被検体Ｍの体脂肪の重量を測定する構成であったが、電気伝導式の体脂肪計測装置がシステムに含まれていて、被検体の電気伝導度に基づいて被検体の体脂肪の重量を計測する構成であってもよい。電気伝導式の体脂肪計測装置がシステムに含まれている場合は、Ｘ線ＣＴ装置が体体脂肪重量測定部１６を備えていない構成であってもよいし、Ｘ線ＣＴ装置がシステムに含まれていない構成であってもよい。
【００５２】
（３）実施例のシステムの場合、ＰＥＴ装置１とＸ線ＣＴ装置２が同一の天板３を共用する構成であったが、ＰＥＴ装置１とＸ線ＣＴ装置２が、それぞれ別々に天板を備えている構成であってもよい。
【図面の簡単な説明】
【００５３】
【図１】実施例のＰＥＴ・Ｘ線ＣＴ複合診断システムの全体構成を示すブロック図である。
【図２】実施例のシステムのＸ線ＣＴ装置においてＸ線撮影により取得されるＸ線ＣＴ画像を模式的に示す斜視図である。
【図３】実施例のシステムのＸ線ＣＴ装置において信号処理により取得される脂肪抽出ＣＴ画像を模式的に示す斜視図である。
【図４】実施例のシステムのＰＥＴ装置によりＲＩ分布画像を撮影する時のプロセスを示すフローチャートである。
【符号の説明】
【００５４】
１          …  ＰＥＴ装置
２          …  Ｘ線ＣＴ装置
３          …  天板
４          …  γ線検出器
７          …  ＲＩ分布画像取得部
１０        …  Ｘ線管（Ｘ線照射手段）
１１        …  Ｘ線検出器（Ｘ線検出手段）
１４        …  Ｘ線ＣＴ画像取得部
１５        …  体重測定装置
１６        …  体脂肪重量測定部（体脂肪計測装置）
１７        …  ＳＵＶ算出部
１８        …  脂肪量調整体重取得部
Ｍ          …  被検体
【図１】
2006300826.tif 000003
【図２】
2006300826.tif 000004
【図３】
2006300826.tif 000005
【図４】
2006300826.tif 000006